(57)【要約】【課題】  媒体種類判定機能と重送検出機能とを有機的に連携させて機構の簡素化を図ることができるとともに、正確に媒体種類の判定をすることができる媒体識別装置およびシート搬送装置を提供すること。【解決手段】  搬送路上の媒体１１４の厚み方向の透過光量を測定する様に透過光量測定手段１１０，１１１を配置する。この透過光量測定手段で測定した結果を記憶しておく測定値記憶手段と、使用する媒体の種類をあらかじめ設定する為の媒体設定手段と、前記媒体設定手段で設定される各媒体毎に割り当てられる透過光量の情報を記憶している媒体情報記憶手段とも備える。媒体が搬送されてくるタイミング１回毎に透過光量測定を行い、媒体の種類判別または重送検出を行う。【選択図】  図２
2006256804.tif 000002
【特許請求の範囲】
【請求項１】
複数の媒体を重ねて収容する収容部と、搬送路上の媒体の厚み方向の透過光量を測定する様に配置された透過光量測定手段と、前記透過光量測定手段で測定した結果を記憶しておく測定値記憶手段と、使用する媒体の種類をあらかじめ設定する為の媒体設定手段と、前記媒体設定手段で設定される各媒体に割り当てられる透過光量の情報を記憶している媒体情報記憶手段と、を備え、媒体が搬送されてくるタイミング１回毎に透過光量測定を行い、媒体の種類判別または重送検出を行う媒体識別装置において、
媒体の種類判別は、前記収容部に媒体1枚をセットして行うことを特徴とする媒体識別装置。
【請求項２】
請求項１の媒体識別装置において、
ユーザに収容部に媒体1枚セットを指示する指示手段と、ユーザが収容部に媒体をセットしたことを確認する確認手段とを備え、媒体の種類判別時は、前記指示手段でユーザに収容部に媒体1枚セットを指示し、前記確認手段で収容部に媒体をセットしたことを確認した後、媒体を搬送して透過光量の測定を行い、媒体の種類判別を行うことを特徴とする媒体識別装置。
【請求項３】
請求項１または２の媒体識別装置において、
上記媒体の種類判別は、上記透過光量測定手段の測定結果と、上記媒体設定手段で設定された媒体に係る上記媒体情報記憶手段の記憶内容との比較に基づいて行うことを特徴とする媒体識別装置。
【請求項４】
複数の媒体を重ねて収容する収容部と、搬送路上の媒体の厚み方向の透過光量を測定する様に配置された透過光量測定手段と、前記透過光量測定手段で測定した結果を記憶しておく測定値記憶手段と、使用する媒体の種類をあらかじめ設定する為の媒体設定手段と、前記媒体設定手段で設定される各媒体に割り当てられる透過光量の情報を記憶している媒体情報記憶手段と、を備え、媒体が搬送されてくるタイミング１回毎に透過光量測定を行い、媒体の種類判別または重送検出を行う媒体識別装置において、
媒体の種類判別は、媒体を複数枚連続搬送し、透過光量測定手段で各媒体の透過率測定を行い、その全ての測定値と、上記媒体設定手段で設定された媒体に係る上記媒体情報記憶手段の記憶内容との比較に基づいて行うことを特徴とする媒体識別装置。
【請求項５】
請求項１乃至４いずれかの媒体識別装置において、
上記測定値記憶手段による記憶は、搬送されてくる媒体を上記透過光量測定手段で測定する毎に記憶内容を書き換えながら行い、上記重送検出は、該測定値記憶手段の記憶内容を用いて行うことを特徴とする媒体識別装置。
【請求項６】
請求項１乃至５いずれかの媒体識別装置において、
前記収容部に収容されている媒体が交換された可能性がある所定のタイミングで、上記測定値記憶手段に記憶されている値をリセットするリセット手段と、上記測定値記憶手段に値がセットされているか否かで、媒体の種類判別と重送検出のいずれかを行うかの選択を行うモード判定手段とを備えたことを特徴とする媒体識別装置。
【請求項７】
請求項１乃至６いずれかの媒体識別装置を備えた給紙装置。
【発明の詳細な説明】
【技術分野】
【０００１】
本発明は、搬送路上の媒体の種類や重送の有無を識別する媒体識別装置およびシート搬送装置に関するものである。
【背景技術】
【０００２】
従来、この種の媒体識別装置は、複数のシート状の媒体である用紙を重ねて収容する収容部から分離しながら１枚づつ搬送して所定箇所に給送する給送装置に用いられている。例えば、複写機、プリンタ、印刷機などの画像形成装置の給紙装置、原稿搬送装置などの給送装置や、スキャナの原稿給送装置に用いられている。これらの給送装置での用紙の種類識別は、例えば、複写条件、プリント条件、印刷条件、原稿読み取り条件に関する最適条件が媒体の種類によって異なるため、最適条件設定のために行う。この種類識別の方法としては、ユーザの種類入力操作によって行う方法や用紙を検出して自動的に行う方法が知られている。また、これらの給送装置での重送（２枚以上の重なった状態で搬送すること）の識別は、次の理由で行う。例えば画像形成中に重送が発生すると、重なった用紙の搬送途中での分離により、転写用部材や定着用部材への巻き付きが発生する可能性が有る。これが発生するとマシンに多大なダメージを与えることが懸念される。仮に分離せずに排出されたとしても、画像形成後の用紙の束に対して、重送用紙の混入状態をユーザが再確認しなければならず、余計な作業が発生する。特にステープル等の後処理後では手間が増える。このような不具合を回避するには、重送が発生したら直ちに画像形成等を停止するとともに重送発生をユーザに報知する必要がある。この停止や報知の制御のために重送有無の識別するのである。この識別の方法としては、反射光量や透過光量を用いるものが知られている。
【０００３】
このうち、上記ユーザの種類入力操作で用紙の種類を識別するものでは、「用紙情報の誤設定」や「使用用紙のトレイへの誤セット」等のユーザの操作ミスが発生するおそれがある。この操作ミスが発生すると、マシンが認識している用紙設定と異なる用紙が使用されることになる結果、定着性低下や転写条件の違いによる画像品質の低下、用紙ジャムの発生等の様々な障害の発生が懸念される。特許文献１で提案の発明では、ユーザによる種類入力操作と、用紙の種類の自動識別とを併用しているので、この懸念は少ない。この他にも、様々な技術が提案されている。なお、上記ユーザの種類入力操作は公用されていおり、また特許文献２や３にも記載されている。
【特許文献１】特開２００３−２９５８１号公報
【特許文献２】特開２００２−３１１７５３号公報
【特許文献３】特開２００３−１０１７２０号公報
【発明の開示】
【発明が解決しようとする課題】
【０００４】
しかしながら、従来の提案は、紙種検出機能もしくは重送検出機能のそれぞれ個々の精度向上に関するものがほとんどであった。実際に用紙(媒体)を使用するシステムにおいては、紙種検出機能と重送検出機能とを有機的に連携させて機構の簡素化を図ることが望ましい。
【０００５】
そこで、本出願人は、特願２００５−２２７８号において、紙種検出機能と重送検出機能とを有機的に連携させた機構の媒体識別装置を提案している。
この媒体識別装置においては、最初に搬送されてくる媒体に対して透過光量測定手段の透過光量測定結果に基づき媒体種類の判定を行い、それ以降に搬送されてくる媒体に対して透過光量測定手段の透過光量測定結果に基づき重送を検知している。しかしながら、この最初に搬送されてくる媒体に重送があった場合、正確に媒体種類の判定をすることができないおそれがあった。すなわち、ユーザが実際給紙トレイに収納されている用紙よりも厚い用紙を設定しまい、重送時の透過光量測定結果が予め記憶されている設定された用紙に対応する透過光量の範囲内となってしまった場合は、誤設定を検知できない。
【０００６】
本発明は、上記背景に鑑みなされたものであり、その目的とするところは、媒体種類判定機能と重送検出機能とを有機的に連携させて機構の簡素化を図ることができるとともに、正確に媒体種類の判定をすることができる媒体識別装置およびシート搬送装置を提供することである。
【課題を解決するための手段】
【０００７】
上記目的を達成するために、請求項１の発明は、複数の媒体を重ねて収容する収容部と、搬送路上の媒体の厚み方向の透過光量を測定する様に配置された透過光量測定手段と、前記透過光量測定手段で測定した結果を記憶しておく測定値記憶手段と、使用する媒体の種類をあらかじめ設定する為の媒体設定手段と、前記媒体設定手段で設定される各媒体に割り当てられる透過光量の情報を記憶している媒体情報記憶手段と、を備え、媒体が搬送されてくるタイミング１回毎に透過光量測定を行い、媒体の種類判別または重送検出を行う媒体識別装置において、媒体の種類判別は、前記収容部に媒体1枚をセットして行うことを特徴とするものである。
また、請求項２の発明は、請求項１の媒体識別装置において、ユーザに収容部に媒体1枚セットを指示する指示手段と、ユーザが収容部に媒体をセットしたことを確認する確認手段とを備え、媒体の種類判別時は、前記指示手段でユーザに収容部に媒体1枚セットを指示し、前記確認手段で収容部に媒体をセットしたことを確認した後、媒体を搬送して透過光量の測定を行い、媒体の種類判別を行うことを特徴とするものである。
また、請求項３の発明は、請求項１または２の媒体識別装置において、上記媒体の種類判別は、上記透過光量測定手段の測定結果と、上記媒体設定手段で設定された媒体に係る上記媒体情報記憶手段の記憶内容との比較に基づいて行うことを特徴とするものである。
また、請求項４の発明は、複数の媒体を重ねて収容する収容部と、搬送路上の媒体の厚み方向の透過光量を測定する様に配置された透過光量測定手段と、前記透過光量測定手段で測定した結果を記憶しておく測定値記憶手段と、使用する媒体の種類をあらかじめ設定する為の媒体設定手段と、前記媒体設定手段で設定される各媒体に割り当てられる透過光量の情報を記憶している媒体情報記憶手段と、を備え、媒体が搬送されてくるタイミング１回毎に透過光量測定を行い、媒体の種類判別または重送検出を行う媒体識別装置において、媒体の種類判別は、媒体を複数枚連続搬送し、透過光量測定手段で各媒体の透過率測定を行い、その全ての測定値と、上記媒体設定手段で設定された媒体に係る上記媒体情報記憶手段の記憶内容との比較に基づいて行うことを特徴とするものである。
また、請求項５の発明は、請求項１乃至４いずれかの媒体識別装置において、上記測定値記憶手段による記憶は、搬送されてくる媒体を上記透過光量測定手段で測定する毎に記憶内容を書き換えながら行い、上記重送検出は、該測定値記憶手段の記憶内容を用いて行うことを特徴とするものである。
また、請求項６の発明は、請求項１乃至５いずれかの媒体識別装置において、前記収容部に収容されている媒体が交換された可能性がある所定のタイミングで、上記測定値記憶手段に記憶されている値をリセットするリセット手段と、上記測定値記憶手段に値がセットされているか否かで、媒体の種類判別と重送検出のいずれかを行うかの選択を行うモード判定手段とを備えたことを特徴とするものである。
また、請求項７の発明は、請求項１乃至６いずれかの媒体識別装置を備えた給紙装置とするものである。
【発明の効果】
【０００８】
請求項１乃至７の発明によれば、透過光量測定手段の透過光量測定結果に基づいて、媒体の種類判別または重送検出を行っている。これにより、媒体の種類判別および重送検出を透過光量測定手段で兼用でき、機構の簡素化によるコストダウンを図ることができる。
【０００９】
また、請求項１の発明によれば、媒体の種類判別を、収容部に１枚の媒体をセットして行うことで、透過光量測定手段へ確実に一枚の媒体を搬送することができる。よって、媒体種類判別時に重なった媒体が搬送されることがなく、正確に媒体種類判別を行うことができる。
【００１０】
また、請求項４の発明によれば、複数の媒体の透過光量に基づいて、媒体種類判別を行うので、ユーザが実際に収容されている用紙よりも厚い用紙に誤設定して、重なって搬送された媒体の透過光量測定結果が媒体情報記憶手段の記録内容の範囲内となっていても、１枚搬送された別の媒体の透過光量測定結果が媒体情報記憶手段の記録内容の範囲外となり、設定違いを検知することができる。よって、１枚の媒体について媒体の種類判別を行うものに比べて、正確に媒体種類判別を行うことができる。
【発明を実施するための最良の形態】
【００１１】
以下、本発明を画像形成装置としての複写装置の給紙装置に適用した実施形態について説明する。まず、図１を用いてこの複写装置の概略について説明する。この画像形成装置は、原稿を走査して読み取り、デジタル化して用紙に複写する、いわゆるデジタルカラー複写機としての機能を有している。また、この画像形成装置は、原稿の画像情報を遠隔地と授受するファクシミリの機能や、コンピュータが扱う画像情報を用紙上に印刷するいわゆるプリンタの機能も有している。
【００１２】
図１において、カラー画像形成装置の略中央に画像形成部１が設けられている。この画像形成部１の下方には、多段状の給紙部２が配置されている。この給紙部２の各段には、記録媒体である普通紙や、ＯＨＰシート、第２原図などのシート束を積載した給紙装置としての給紙トレイ２１が配設されている。格段の給紙トレイ２１は個別に本体に達して脱着可能であり、かつ、本体側にはこの脱着を検知するセンサが設けられている。この給紙部２は、必要に応じて別の給紙装置２２を増設することができるように構成されている。画像形成部１の図中右側には開閉可能な手差しトレイ１２０も設けられている。図示のように上部が本体から離れるように移動して開いた状態で、このトレイ１２０上にシート束を積載可能である。トレイ１２０上のシート有無を検知するセンサも設けられている。上記画像形成部1の上方には、原稿を読取る読取部３が配設されている。また、画像形成部１の左側には、画像が形成されたシートを排紙収納するための排紙収納部４が配設されている。
【００１３】
上記画像形成部１には、４色のトナー像を個別に形成するための各色の作像部６が、無端状の中間転写ベルト５の外周面に対向するように並列に配置されている。各作像部６は、ドラム状の感光体６１を備えている。各感光体６１の周囲には、感光体６１の表面に帯電処理を行う帯電装置６２、画像情報を感光体表面にレーザ光で照射する露光装置７が配置されている。また、感光体６１の表面に露光されて形成された静電潜像を可視化するための現像装置６３、及び、感光体６上の残留トナーを除去回収するクリーニング装置６４が配置されている。
【００１４】
上記読み取り部３には、コンタクトガラス３1上に載置された原稿（不図示）の読み取り走査を行うための、原稿照明用光源とミラーよりなる読み取り走行体３２、３３が往復移動自在に配設されている。この読み取り走行体３２、３３により走査された画像情報は、レンズ３４の後方に設置されているＣＣＤ３５に画像信号として読み込まれる。この読み込まれた画像信号は、デジタル化され画像処理される。画像処理された信号に基づいて、上記露光装置７内のレーザダイオードＬＤ（不図示）の発光により、感光体６１の表面に静電潜像が形成される。ＬＤからの光信号は、公知のポリゴンミラーやレンズを介して感光体６１に至る。読み取り部３の上方には、原稿を自動的にコンタクトガラス３１上に搬送するための自動原稿搬送装置３６が取り付けられている。
【００１５】
上記中間転写ベルト５の周囲には、中間転写ベルト５上に形成されたフルカラートナー像を上記シートに転写するための転写装置５１が配置されている。また、この転写装置５１によりフルカラートナー像がシートに転写された後の、中間転写ベルト５表面に残留しているトナーを除去回収するための中間転写クリーニング装置５２が配置されている。
【００１６】
次に、この画像形成装置の作像プロセスについて説明する。図1において、上記各作像部６では、周知の電子写真プロセスにより、中間転写ベルト５の回転に合せて、各感光体６１上に所定のタイミングで４色のトナー像が形成される。まず、イエロー作像部（Ｙ）では、左端の感光体上に形成されたイエロートナー像が中間転写ベルト５に転写される。マゼンタ作像部（M）では、次の感光体上に形成されたマゼンタトナー像がイエロートナー像の上に重ね合わされて中間転写ベルト５に転写される。シアン（Ｃ）の作像部では、更に次の感光体上に形成されたシアントナー像がマゼンタトナー像の上に重ね合わされて中間転写ベルト５に転写される。ブラック（Ｋ）の作像部では、右端の感光体上に形成されたブラックトナー像がシアントナー像の上に重ね合わされて中間転写ベルト５に転写される。このように、各感光体上に形成された４色のトナー像が順次重ね合わされて転写されることにより、中間転写ベルト５にフルカラートナー像が形成される。
【００１７】
一方、上記中間転写ベルト５上へのフルカラートナー像の画像形成動作に平行して、上記給紙部２の選択された給紙トレイ２１からシートが順次１枚ずつ分離給紙される。すなわち、図示の給紙部２においては、給紙トレイ２１に回動可能に支持された底板２４上にシート束が積載されている。この底板２４の回動によりシート束の最上位のシートがピックアップローラ２５に当接可能な位置まで上昇する。この最上位のシートは、ピックアップローラ２５の回転により給紙されて、リバースローラ２７により１枚に分離される。そして、１枚に分離された最上位のシートは、給紙ローラ２６の回転により、給紙トレイ２１から送り出されて、その搬送経路下流側に配置されているレジストローラ２３へと搬送される。
【００１８】
上述のようにして分離搬送されたシートは、上記レジストローラ２３のニップに突き当たることにより搬送が一時止められて待機される。レジストローラ２３は、上記中間転写ベルト５上に形成されたフルカラートナー像と、上記シートの先端との位置関係が所定の位置になるよう、タイミングをとって回転を開始するように制御される。このレジストローラ２３の回転により、待機されているシートが再び給紙される。これにより、このシートの所定位置に、上記転写装置５１により、中間転写ベルト５上に形成されたフルカラートナー像が転写される。
【００１９】
このようにしてフルカラートナー像が転写されたシートは、その搬送経路の下流側の定着部８に送り込まれる。この定着部８は、上記転写装置５１により転写されたフルカラートナー像をシート上に定着する。フルカラートナー像が定着されたシートは、排紙ローラ４１により上記排紙収納部４に排紙収納される。
ここで、上記シートの両面に画像形成を行う際は、分岐部９１にてシートを分岐し、両面装置９を経由させることにより、シートの表裏を反転させる。この表裏が反転されたシートは、上記レジストローラ２３のニップに突き当たることで、そのスキューが補正された後、上述の片面への画像形成時と同様にして裏面への画像形成が行われる。
【００２０】
次に、この実施形態における特徴部である媒体識別装置について説明する。図２はこの媒体識別装置の機械的な要素の設置形態の一例を示すものである。
給紙トレイ２１下流搬送路上に、透過光量測定手段を構成する発光手段１１０及び受光手段１１１を備えており、給紙トレイ２１の底板２４に載置された用紙束１１５の最上位シートから順に繰り出し搬送されてくる用紙の透過光量を１回毎に測定する。なお、設置の箇所については、給紙部から画像形成部までの搬送路上であれば、特に問わないが、複数の搬送経路を有する装置であれば、それらが集結するレジストローラ近傍にひとつ設けることがコスト上望ましい。
【００２１】
上記発光手段１１０は、ある所定の光量を出力する。上記受光手段１１１は、発光手段１１０から出力された光量を検出する。発光手段１１０と受光手段１１１とは識別対象となる用紙１１４を挟む様に配置され、その用紙の厚み方向の透過光量を測定できるようになっている。本実施形態では、発光手段１１０、受光手段１１１それぞれに対応した制御部を備えており、搬送されてくる媒体たる用紙の透過光量を測定し、その光量レベルから用紙の種類を判別したり、重ね送り等の媒体の状態を検出したりする。
【００２２】
図３は複写装置内の主な制御ユニットを図示している。
エンジン制御部１０１は、画像制御部１、給紙部２、定着部８といった複写装置の主要部の動作の基本制御を主に行っている。コントローラ制御部１０２には、外部のホストコンピュータ１０３、表示部１０４、入力部１０５等が接続されていて、動作に必要な外部情報を入手及び管理すると伴に、エンジン制御部１０１に必要な情報を提供し、システム全体の動きを管理している。なお、表示部１０４は操作パネルのディスプレイを用いて構成できる。上記入力部１０５は同じく操作パネルに設けた操作ボタンで構成できるのに加え、又は、これに代え、上記ディスプレイをタッチパネルで構成した場合には、これも入力部１０５の一部又は全部として使用できる。
【００２３】
そして、上記媒体識別装置の各種情報管理のための記憶部(媒体情報記憶手段や測定値記憶手段)及び各種判定手段(演算部)はエンジン制御部１０１、コントローラ部１０２、給紙部２に含まれる制御部の何れか一つにあるいは二以上の記憶部や演算部に構成する。使用する用紙の種類を予め設定するための媒体設定手段は、上記入力部１０５と、これからの入力を受け付けながら、媒体情報記憶手段としてのメモリ部に設定内容を記憶させるための所定のメモリ部に記録されている制御プログラムと、このプログラムを実行させる演算手段とで構成できる。表示部１０４に一定の表示をしながら、この設定操作をガイダンスするような制御プログラムにする場合には、さらに、表示部１０４も構成要素となる。このような媒体設定手段の具体的な構成としては、前述の従来公用の技術、特許文献２や３に開示の技術などを用いることができる。この媒体設定手段を構成する制御プログラムやそれを実行する演算部も、エンジン制御部１０１、コントローラ部１０２、給紙部２に含まれる制御部の何れか一つにあるいは二以上の記憶部や演算部に構成する。
【００２４】
給紙カセットに一枚用紙セットをユーザに指示する指示手段を構成する制御プログラムやそれを実行する演算部も、エンジン制御部１０１、コントローラ部１０２、表示部１０４に含まれる制御部の何れか一つにあるいは二以上の記憶部や演算部に構成する。また、給紙カセットに用紙がセットされたことを確認する確認手段を構成する制御プログラムやそれを実行する演算部も、エンジン制御部１０１、コントローラ部１０２、給紙部２に含まれる制御部の何れか一つにあるいは二以上の記憶部や演算部に構成する。また、ユーザの入力により用紙セットを確認する場合は、入力部１０５も構成要素となる。
【００２５】
図４は、媒体識別の制御のフローチャートである。
先ず、上記媒体設定手段により使用する用紙種類を選択（設定）する（Ｓ２）。それにより、上記媒体情報記憶手段に予め記憶されている各媒体の透過光量テーブル（例えば表１の内容のテーブル）より、その選択された用紙種類に応じた範囲値情報（Ｒ１〜Ｒ４）が呼び出され、媒体種類判別用の比較値（範囲値）Ｒｚとして設定される（Ｓ２）。ここで、Ｒｚを範囲値としている理由は、例えば普通紙といっても、市場には多種多様の普通紙レベルの媒体が存在し、測定される透過光量がある範囲に入っていれば「普通紙」とみなすことにより、情報量の多さとその管理の煩雑さを回避するためである。
【表１】
2006256804.tif 000003
【００２６】
そして、媒体情報の設定が行われると、次に比較値Ｙをリセットする（Ｓ３）。この比較値Ｙは、前回測定した媒体の透過光量を保存しているもので、重送の判定に用いる比較パラメータである。また、この媒体情報の設定は、複数の給紙トレイ２１のうち、一つについて行っても良いし、複数の給紙トレイ２１について行っても良い。
【００２７】
次に、媒体情報の設定が行われた給紙トレイ２１について媒体識別モードをスタートさせる（Ｓ４）。まず、複写装置の表示部１０４に「媒体種類判別モード」であることを表示し（Ｓ５）、比較値Ｙがリセットされている給紙トレイを特定する（Ｓ６）。給紙トレイを特定したら、指示手段で特定した給紙トレイ２１について、１枚用紙をセットするよう表示部に表示する（Ｓ７）。特定した給紙トレイに一枚の用紙がセットされたことを確認手段で確認する（Ｓ８）。一枚の用紙がセットされたことの確認は、給紙トレイ２１の着脱を検知することで確認しても良いし、入力部に用紙１枚セットした旨をユーザに入力させることで確認しても良い。確認手段で確認したら（Ｓ８のＹＥＳ）、用紙を搬送して、所定のタイミングで透過光量の測定を行い、その値は測定値Ｘとしてメモリに一時保管する（Ｓ９）。次に、測定値Ｘと範囲値情報Ｒｚの比較を行い（Ｓ１０）、ＸがＲｚの範囲内であれば（Ｓ１０のＹＥＳ）、測定された用紙と用紙設定が合致していると判断し、測定値Ｘを比較値Ｙにセット（Ｓ１１）する。ＸがＲｚの範囲外となった時（Ｓ１０のＮＯ）は、用紙違いと判断して（Ｓ１２）、「設定違い」もしくは「用紙のセット違い」が発生した旨を警告する（Ｓ１３）。
なお、S１１でセットする比較値Ｙが、測定値記憶手段に記憶される測定の結果に相当し、この比較値Ｙを格納するメモリ部が、測定値記憶手段に相当する。
【００２８】
比較値Yがセットされた時点で他の給紙トレイの比較値Yがリセットされていなければ「媒体種類判別モード」を終了し、リセットされていれば、リセットされている給紙トレイについてＳ４以降のステップを繰り返し行う（Ｓ１４）。
【００２９】
この媒体種類判別モードにおいては、確実に一枚の用紙のみを測定することができるので、正確に媒体種類を判別することができる。
【００３０】
図５は、媒体重送検出モードの制御のフローチャートである。
まず、比較値Ｙに値がセットされているか否かを判定する（Ｓ２２）。
用紙の不足（ペーパーエンド等）による補充や、用紙の再セットが発生したとみなされる場合は、次に補充されるべき用紙が同一レベルの用紙であるかどうかが判らない。すなわち、給紙部２の格段の給紙トレイ２１や手差しトレイ１２０のうち、この補充や再セットが発生したとみられる場合、具体的には、給紙トレイ２１の脱着を検知したタイミングや手差しトレイ１２０で紙無しを検知し、かつその後に紙有りを検知したタイミングでは、収容されている用紙が交換され別の種類のものになった可能性がある。よって、これらの場合にＹ値のリセットが行われる。また、装置本体の電源が遮断されたタイミングあるいは遮断後にオンされたタイミングも、電源遮断中に上記トレイ２１，１２０について用紙の交換がされた可能性があるタイミングであり、このタイミングでもＹ値のリセットが行われる。このようなリセットを行う制御や上記S３のプログラム及びこれを実行する演算部で、リセット手段が構成される。
【００３１】
比較値Ｙに値がセットされていない場合（Ｓ２２のＮＯ）は、給紙トレイに用紙の再セットがなされたと判断して、上述した媒体識別モードを実行する（Ｓ２３）。比較値Ｙに値がセットされている場合（Ｓ２２のＹＥＳ）は、媒体搬送動作を開始して（Ｓ２４）、シートを搬送し、所定のタイミングで透過光量の測定を行い、その値は測定値Ｘとしてメモリに一時保管する（Ｓ２５）。
次に、比較値Ｙ（前用紙）と測定値Ｘ（後続用紙）の比較を行う（Ｓ２６）。通常、重送（重ね送り）が発生した場合の透過光量は、２枚重ねであれば、１枚時のそれより、理論上で約半分以下に減衰する。これを利用して、重送を検出する。比較値Ｙは１枚時の測定値バラツキを考慮して、ある範囲を持つ値を用いている。例えば、前用紙の測定値がＸである場合、比較値Ｙ＝Ｘ±３０％程度に設定することにより１枚⇒１枚時の誤検知を確実に防止している。そして、測定値Ｘが比較値Ｙより大幅に異なる（低下）場合（Ｓ２６のＮＯ）は、重送していると判断し（Ｓ２７）、搬送動作を中止し、重ね送りが発生した旨を警告する（Ｓ２８）。以降、繰り返し。この繰り返しの間、S２５とS２９のステップも繰り返すことになるので、測定値記憶手段による記憶は、上記透過光量測定手段で用紙を測定する毎に記憶内容を書き換えながら行われることになる。
そして、Ｓ３０において正常に一連の搬送動作が終了した場合には、それ以降、用紙設定を変更しない場合や、用紙を変更しない場合は、Ｙ値をリセットしないことにより制御の簡素化を図っている。
【００３２】
次に、媒体識別モードの変形例について説明する。図６は、媒体識別モードの変形例の制御のフローチャートである。
まず、上記媒体設定手段により使用する用紙種類を選択（設定）し（Ｓ３２）、比較値Ｙ値をリセットする（Ｓ３３）。次に、媒体情報の設定が行われた給紙トレイ２１について媒体識別モードをスタート（Ｓ３４）し、複写装置の表示部１０４に「媒体種類判別モード」であることを表示し（Ｓ３５）、比較値Ｙがリセットされている給紙トレイを特定する（Ｓ３６）。特定した給紙トレイ内の用紙をＮ枚連続で搬送して（Ｓ３７）、各用紙について透過光量の測定を行い、それら値を測定値Ｘ１、Ｘ２・・・・Ｘｎとしてメモリに一時保管する（Ｓ３８）。各測定値Ｘ１〜ＸｎのうちいずれかがＲｚの範囲外となった時（Ｓ３９のＮＯ）は、用紙違いと判断して（Ｓ４０）、「設定違い」もしくは「用紙のセット違い」が発生した旨を警告する（Ｓ４１）。Ｘ１〜ＸｎすべてがＲｚの範囲内であれば（Ｓ３９のＹＥＳ）、測定された用紙と用紙設定が合致していると判断し、すべて測定値Ｘ１〜Ｘｎの平均値Ｘａを比較値Ｙにセットする（Ｓ４２）。比較値Yがセットされた時点で次の給紙トレイの比較値Yがリセットされていなければ（Ｓ４３のＹＥＳ）「媒体種類判別モード」を終了し、通常の画像形成装置の待機状態に戻る。
【００３３】
変形例の媒体識別モードにおいては、複数枚の用紙についての測定値Ｘと媒体種類判別用の比較値（範囲値）Ｒｚとを比較することで、正確に媒体種類判別することができる。
【００３４】
以上の媒体識別の制御とは別に、本実施形態の複写装置では、複写に使用する用紙の種類に応じて画像形成条件を切り換える制御を行っている。具体的には、定着装置として少なくとも熱を利用する場合の熱量の切り換え（ランプ光量や定着での用紙搬送速度によって可変）、転写で使用する転写電界強度の切り換え、用紙搬送速度や用紙間隔の切り換え（定着での熱量切り換えにも関係する）を行っている。これに代え、あるいは加え、他の画像形成条件を切り換えるようにすることもできる。この切り換え制御のための使用する用紙種類の認識には、上記S２の設定結果を用いることができる。給紙部２には多段のトレイ２１があり、手差しトレイ１２０もあることから、各トレイに、設定されている用紙の種類を記憶するメモリを用意しておき、使用が選択されたトレイについて、そこに収容れさている用紙の種類をこのメモリから読み出し、それに最適に画像形成条件に切り換える。この切り替えのため、用紙の種類毎の最適な画像形成条件をテーブルの形式等でメモリに記憶しておく。
【００３５】
なお、上記実施形態は複写装置の給紙装置に適用した例であるが、複写装置の自動原稿搬送装置３６における原稿の給紙装置に適用することもできる。また、プリンタや印刷機、あるいは、スキャナにも適用できる。
【００３６】
（１）
以上、本実施形態の媒体識別装置によれば、透過光量測定手段の透過光量測定結果に基づいて、媒体の種類判別または重送検出を行っている。これにより、媒体の種類判別および重送検出を透過光量測定手段で兼用でき、機構の簡素化によるコストダウンを図ることができる。
また、媒体の種類判別は、収容部に１枚の用紙をセットして行うことで、透過光量測定手段へ確実に一枚の媒体を搬送することができる。よって、媒体種類判別時に重なった用紙が搬送されることがない。よって、正確に媒体種類判別を行うことができる。
（２）
また、本実施形態の媒体識別装置によれば、媒体の種類判別時は、指示手段で、ユーザに収容部に媒体1枚セットを指示し、確認手段で、収容部に媒体をセットしたことを確認してから、媒体を搬送して透過光量の測定を行い、媒体の種類判別をおこなっている。これにより、確実に一枚の媒体を搬送することができる。よって、媒体種類判別時に重なった用紙が搬送されることがなく、正確に媒体種類判別を行うことができる。
（３）
また、本実施形態の媒体識別装置によれば、上記媒体種類判別は、測定値Ｘと、媒体情報記憶手段に予め記憶されている各媒体の透過光量テーブルから呼び出された媒体設定手段で選択された用紙種類に対応した透過光量（媒体種類判別用の比較値）Ｒｚとの比較に基づいて行っている。これにより、簡単な制御で正確な媒体種類判別を行うことができる。
（４）
また、本実施形態の媒体識別装置によれば、複数の媒体の透過光量に基づいて、媒体の種類判別を行っている。１枚の媒体の透過光量に基づいて媒体の種類判別を行う場合は、媒体種類判別時に用いられる媒体の透過光量が重なって搬送された透過光量であるかを検知することができなかった。このため、ユーザが誤設定して、実際給紙カセットに収容されている用紙よりも厚い用紙を設定した場合、２枚重ねで搬送された媒体の透過光量（測定値Ｘ）が、比較値Ｒｚの範囲内に入ってしまい設定違いを検知することができないおそれがある。しかし、複数枚の媒体の透過光量に基づくことで、ユーザが実際に収容されている用紙よりも厚い用紙に誤設定して、重送時の媒体の測定値Ｘが比較値Ｒｚの範囲内となっていても、１枚搬送された別の用紙の測定値Ｘが比較値Ｒｚの範囲外となり、設定違いを検知することができる。よって、１枚の媒体について媒体の種類判別を行うものに比べて、正確に媒体種類判別を行うことができる。
（５）
また、本実施形態の媒体識別装置によれば、上記重送検出は、前用紙の測定値（比較値Ｙ）を用いて行うことで、制御の簡素化を実現し、システムとしての信頼性向上を図ることができる。
（６）
また、本実施形態の媒体識別装置によれば、収容部たる給紙カセットや手差しトレイに収容されている媒体が交換された可能性がある所定のタイミングで、比較値Ｙをリセットしている。そして、比較値Ｙがセットされているか否かで、媒体識別モードと媒体重送検出モードのいずれかを行うかの選択を行うことで、制御の簡素化を実現し、システムとしての信頼性向上を図ることができる。
（７）
また、本実施形態の給紙装置によれば、上記（１）〜（５）のいずれの特徴点をもつ媒体識別装置を用いているので、重送検知と媒体識別の２つの検知を兼用でき、機構の簡素化によるコストダウンを図ることができる。また、正確な媒体識別を行うことができる。
【図面の簡単な説明】
【００３７】
【図１】実施形態に係る複写装置の概略構成図。
【図２】同複写装置の部分拡大図。
【図３】同複写装置の電送部のブロック図。
【図４】同複写装置の媒体重送検出モード制御のフローチャート。
【図５】同複写装置の媒体識別モード制御のフローチャート。
【図６】同複写装置の他の媒体識別モード制御のフローチャート。
【符号の説明】
【００３８】
１      画像形成部
２      給紙部
３      読取部
４      排紙収納部
５      中間転写ベルト
６      作像部
７      露光装置
８      定着部
２０      シート
２１      給紙トレイ
２２      給紙装置
２３      レジストローラ
２５      ピックアップローラ
２６      給紙ローラ
２７      リバースローラ
５１      転写装置
５２      中間転写クリーニング装置
６１      感光体
６２      帯電装置
６３      現像装置
６４      クリーニング装置
１０１      エンジン制御部
１０２      コントローラ制御部
１０４      表示部
１０５      入力部
１１０      発光手段
１１１      受光手段
１１４      用紙
１１５      シート束
１２０      手差しトレイ
【図１】
2006256804.tif 000004
【図２】
2006256804.tif 000005
【図３】
2006256804.tif 000006
【図４】
2006256804.tif 000007
【図５】
2006256804.tif 000008
【図６】
2006256804.tif 000009